(57)【要約】【課題】小型化が図られるとともに、ユーザが操作を簡単かつ迅速に行えるディスク再生装置を提供する。【解決手段】ディスク１が装填されるローディングトレイ２０と、このローディングトレイ２０が格納される筐体２１と、入力操作が行われるタッチパネル１５とを備え、複数種類のディスク１を再生可能なディスク再生装置１００において、ユーザによる再生等の入力操作を行うためのタッチパネル１５がローディングトレイ２０の前面に設けられている。【選択図】図２
2009026358.tif 000002
【特許請求の範囲】
【請求項１】
ディスクが装填されるローディングトレイと、前記ローディングトレイが格納される筐体と、入力操作が行われるタッチパネルとを備え、複数種類のディスクを再生可能なディスク再生装置において、
前記タッチパネルが前記ローディングトレイの前面に設けられていることを特徴とするディスク再生装置。
【請求項２】
請求項１に記載のディスク再生装置において、
前記入力操作が、ユーザによる再生の入力操作であることを特徴とするディスク再生装置。
【請求項３】
請求項１または２に記載のディスク再生装置において、
前記タッチパネルに前記ディスクから読み取られた選択項目が表示され、前記選択項目が表示されている部分の前記タッチパネルを押圧することにより、前記選択項目が選択されることを特徴とするディスク再生装置。
【請求項４】
請求項１ないし３のいずれかに記載のディスク再生装置において、
前記ディスクの再生時に、前記ディスクの再生状態が前記タッチパネルに表示されることを特徴とするディスク再生装置。
【請求項５】
請求項１ないし４のいずれかに記載のディスク再生装置において、
前記タッチパネルに複数のディスクの種類が表示され、前記ディスクの種類が表示されている部分の前記タッチパネルを押圧することにより、前記ディスクの種類が選択がされ、
前記ディスクの選択に基づいて、前記ローディングトレイの格納と、選択された前記ディスクの種類に応じた起動処理と、前記ディスクの再生とが行われることを特徴とするディスク再生装置。
【請求項６】
請求項５に記載のディスク再生装置において、
前記ディスクの種類に応じた起動処理時に、選択された前記ディスクの種類が前記タッチパネルに表示されることを特徴とするディスク再生装置。
【発明の詳細な説明】
【技術分野】
【０００１】
本発明はディスク再生装置に関し、より詳細には、タッチパネルを利用したディスク再生装置に関する。
【背景技術】
【０００２】
ＣＤ（Compact Disc）、ＤＶＤ（Digital Versatile Disc）、ＢＤ（Blu-ray Disc：登録商標）など多くの種類のディスクが使用されている。このため、ディスク再生装置のコンパチブル化が進み、１つのディスク再生装置で多くの種類のディスクが利用可能になっている。また、ディスク再生装置のコンパチブル化が進むに伴って、ディスクから読み出される情報に基づくメニュー、曲等の選択機能などディスク再生装置の多機能化が進んでいる。
しかしながら、例えば、映画等でメニューやチャプターの選択を行う際にはディスクを装填した後、ディスクの装填位置とは離れた位置にあるリモコンや操作パネル等でメニューやチャプターの選択をする必要があるので、操作に時間を要していた。また、様々な機能がディスク再生装置に付随することによって、多くのボタン状のスイッチがリモコンや操作パネルに設けられると、ユーザはスイッチの位置がわかりづらくなる。
さらに、スイッチの数が多くなると、操作パネルが大きくなるのでディスク再生装置が大きくなる。この場合、操作パネルを小さくすると、スイッチを小さくせざるを得ないので、ユーザがスイッチを押しづらくなる。
【０００３】
ＣＤ、ＤＶＤ等のディスクは、夫々ディスクに照射する光の波長が異なるので、１つのディスク再生装置で再生するには、ディスクの種類ごとに対応している波長が異なるレーザを使用して、再生しなければならない。一方で、ディスク再生装置に装填されたディスクの種類が不明であると、ディスクに記録されたディスク種類を判別するためのディスク情報を読み取るまでに、順番にレーザを切り替えて、レーザパワーの調整、フォーカスの調整、トラッキングの調整などを行う必要がある。また、２つの対物レンズを使用するディスク再生装置では、対物レンズを調整する必要もある。このような調整を行うにも、時間を要する。
このため、ディスクを装填してからディスクが再生されるまでの時間が長くなっていた。そして、ディスクの種類が多くなればなるほど、時間がかかることになる。
【０００４】
このような状況下、特許文献１では、大きさが異なる様々なディスクを利用可能なマルチディスクプレーヤにおいて、当該マルチディスクプレーヤに対応するリモコンにタッチパネルが設けられ、このタッチパネルに制御可能なコマンドキーのみを表示するマルチディスクプレーヤが提案されている。
特許文献２では、複数種類の光ディスク等の再生が可能な情報再生装置において、記録媒体の種類の選択をユーザに促し、ユーザが選択した記録媒体の種類に応じて再生に必要な情報を記録媒体から取得する情報再生装置が提案されている。
【０００５】
特許文献３は、本発明の出願人によるものであり、イジェクトスイッチの操作による引き込み動作時に、イジェクトスイッチを１回押すと自動判定モード、２回連続押すとＣＤ優先モード、３回押すとＤＶＤ優先モードというように、引き込み動作時の連続押しの回数によって３種類のモードを切り替える情報処理装置が提案されている。
【０００６】
【特許文献１】特開平８−３１０７５号公報
【特許文献２】特開２００４−３１９０５１号公報
【特許文献３】特許第３７１４５５６号公報
【発明の開示】
【発明が解決しようとする課題】
【０００７】
しかしながら、特許文献１に記載のマルチディスクプレーヤでは、リモコンにタッチパネルが設けられている。このため、ユーザはディスクを装填した後、リモコンを掴み、タッチパネル式のスイッチを選択する必要があるので、ディスクを装填してからスイッチを押すまでに時間を要する。また、ディスクの判別は自動で行っており、ディスクの判別にも時間を要する。
そのうえ、コマンドキーは、再生やスキップなど一定のコマンドに限られているので、例えば、ディスクのコンテンツに応じたメニューやチャプターの選択をすることができない。
さらに、リモコンにタッチパネルが設けられていると、タッチパネルは液晶ディスプレイからなる表示装置等で比較的大きな電力消費があるので、電池の消耗が激しく、電池の交換を頻繁に行ったり、大容量の電池が必要となりリモコンが大型化したりする。
【０００８】
特許文献２に記載の情報再生装置では、光ディスクの選択表示などの各種指示を入力するための操作指示ボタンと各種情報を表示するための表示パネルが設けられているが、表示パネルには光ディスクの種類の選択を促す情報が表示されるのみであり、ディスクの種類が増えてくると、操作指示ボタンを識別しづらくなる。また、ボタン状のスイッチでは、様々な機能が付随してくると、ボタンの数が多くなって、操作部、表示部が大きくなるので、小さな情報再生装置とすることができない。
【０００９】
特許文献３に記載の情報処理装置では、スイッチが押しボタン状であるのでディスクの種類が増加するとスイッチの数も多くなる。また、イジェクトスイッチの操作による引き込み動作時に、イジェクトスイッチの連続押しの回数により再生モードを切り替えるものであり、モードを切り替えようとすると、イジェクトスイッチを何度も押す必要がある。
【００１０】
本発明はこのような実情に鑑み、小型化が図られるとともに、ユーザが操作を簡単かつ迅速に行えるディスク再生装置を提供することを目的とする。
【課題を解決するための手段】
【００１１】
上記目的を達成すべく本発明は次の技術的手段を講じた。
本発明では、ディスクが装填されるローディングトレイと、このローディングトレイが格納される筐体と、入力操作が行われるタッチパネルとを備え、複数種類のディスクを再生可能なディスク再生装置において、タッチパネルがローディングトレイの前面に設けられている。
【００１２】
このようにタッチパネルがローディングトレイの前面に設けられていると、別に操作パネルを設ける必要がなく、ディスク再生装置の小型化ができる。
また、ローディングトレイにディスクを装填した後に、当該ローディングトレイの前面に設けられているタッチパネルで、再生、スキップ等の様々な操作を行うことができるので、複雑な入力操作であってもユーザはリモコンや操作パネルに設けられている多くのスイッチの中から、スイッチを選びつつ入力操作をする必要がない。
さらに、ディスク装填位置の近傍に設けられているタッチパネルを押圧することができるので、ユーザはリモコンを持ったり、操作パネルまで手を動かしたりする必要がなく、簡単かつ迅速に再生等の操作をすることができる。
【００１３】
本発明では、タッチパネルにおける入力操作が、ユーザによる再生の入力操作である。
ディスク再生装置では、ディスクの再生が最も頻繁に行われる。したがって、このようにタッチパネルで再生操作を行うと、タッチパネルにおける再生に対応するスイッチ部（以下、タッチパネルに設けられているスイッチ部を単に「タッチスイッチ」と記載する）を大きなスイッチとすることができる。よって、ユーザが再生操作を簡単かつ迅速に行うことができるとともに、スイッチを押し間違えることが少なくなる。
【００１４】
本発明では、タッチパネルにディスクから読み取られた選択項目が表示され、この選択項目が表示されている部分のタッチパネルを押圧することにより、選択項目が選択される。
ディスク内から読み取られた情報であるメニューやチャプター、再生可能な音声や字幕の言語、曲等の情報がタッチパネルに表示され、このタッチパネルを利用してメニュー等を選択することができるので、ユーザはリモコンを持つ必要がなく、これらの選択項目を選択することができる。
【００１５】
本発明では、ディスクの再生時に、このディスクの再生状態がタッチパネルに表示される。
このようにすると、再生中のメニューやチャプター、選択されている音声や言語等の様々な再生状態が、タッチパネルに表示されるので、ユーザは容易に再生状態を確認できる。この場合、タッチパネルとは別の表示パネルを設けると、別のスペースが必要となるが、ローディングトレイの前面に設けられたタッチパネルに再生状態が表示されると、ディスク再生装置の小型化を図りつつ、再生状態を確認することができる。
【００１６】
本発明では、タッチパネルに複数のディスクの種類が表示され、このディスクの種類が表示されている部分のタッチパネルを押圧することにより、ディスクの種類が選択がされ、このディスクの選択に基づいて、ローディングトレイの格納と、選択されたディスクの種類に応じた起動処理と、ディスクの再生とが行われる。
【００１７】
このようにすると、予めユーザによってディスクの種類が判別されるので、ディスク再生装置でのディスクの種類を自動判別する時間が短縮でき、高速な起動ができる。すなわち、ディスクの判別は、最終的にはディスクに記録されているディスク種類判別用のディスク情報を読み取ることにより行われるが、このディスク情報の読み取りを行うのに、レーザを切り替えて調整する必要がなくなり高速な起動ができる。つまり、従来であれば、ＢＤ、ＤＶＤ、ＣＤに対応したディスク再生装置でディスクの種類を自動判別する場合、例えば、ＣＤレーザ、ＤＶＤレーザ、ＢＤレーザの順番に波長を変更しつつ、夫々のレーザにおいて、レーザパワー、フォーカス、トラッキングなどの調整を必要とする。この場合、ＣＤレーザで読み取れない場合は、装填されたディスクがＣＤではないと判断し、ＤＶＤレーザでの読み取りを試行するが、ディスクの種類が予め判別されていると、レーザを切り替えつつ判別する必要がなく、起動を高速化できる。また、ＣＤ／ＤＶＤ用とＢＤ用のピックアップなど複数のピックアップ（対物レンズ）を備えるディスク再生装置であってもピックアップを変更する必要がなく、起動を高速化できる。
さらに、タッチパネルに設けられている大きなタッチスイッチで、ディスクの種類を選択することができるので、スイッチを識別しやすくなるとともに、押圧しやすくなり、ディスクの種類選択を容易に行うことができる。
【００１８】
本発明では、ディスクの種類に応じた起動処理時に、選択されたディスクの種類がタッチパネルに表示される。
このようにすると、ユーザが自ら選択したディスクの種類を確認でき、誤って別の種類のディスクに対応するタッチスイッチを押圧しても、停止等の操作を行うことができる。
【発明の効果】
【００１９】
本発明によれば、小型化が図られるとともに、ユーザが簡単かつ迅速に操作を行えるディスク再生装置を得ることができる。
【発明を実施するための最良の形態】
【００２０】
以下、本発明の実施形態を図面を参照しながら説明する。
図１は、本発明のディスク再生装置のブロック図であり、図２は、本発明のディスク再生装置の全体図である。
ディスク１に書き込まれているデータは、光ピックアップ２によって読み取られ、ＲＦアンプ３で増幅された後、ディジタル信号処理回路４に入力される。ディジタル信号処理回路４の出力は、ディスク１に照射されるレーザの出力を制御するレーザドライバ５に接続されている。ディジタル信号処理回路４では、光ピックアップ２から出力するレーザパワーの調整が行われる。
【００２１】
また、ディジタル信号処理回路４には、ディスク１から実際に読み取ったデータを一時的に格納するＤＲＡＭ（Dynamic Random Access Memory）６が接続されている。このディスク再生装置１００は、ＢＤ、ＤＶＤ、ＣＤの３種類のディスク１を再生できる。このため、光ピックアップ２のレーザは、ＢＤレーザ（波長４０５ｎｍ）、ＤＶＤレーザ（波長６５０ｎｍ）、ＣＤレーザ（波長７８０ｎｍ）の３種類が備えられている。また、図示しないが、光ピックアップ２はＢＤ用の対物レンズとＣＤ／ＤＶＤ用の対物レンズとを備えている。
【００２２】
サーボ処理回路７は、光ピックアップ２をディスク１の半径方向に移動させるためのフィードモータ８とディスク１を回転駆動するスピンドルモータ９とに接続されている。このサーボ処理回路７では、フォーカスの調整とトラッキングの調整が行われる。
ディジタル信号処理回路４およびサーボ処理回路７は、ディスク再生装置１００全体を制御する制御部１０と双方向に接続されている。制御部１０には、ディスク１のパラメータやレーザパワーのパラメータ等の固有情報を格納しておくための不揮発性メモリ１１が接続されている。
【００２３】
制御部１０には、ユーザによって入力操作が行われるタッチパネル１５が接続されており、このタッチパネル１５は、タッチスイッチ１３と、タッチスイッチ１３の機能やディスク１の状態等を表示するための表示部１４とからなる。前述のように、表示部１４の項目表示に対応する部分のタッチセンサをタッチスイッチ１３といい、タッチセンサは、タッチパネル１５の全体に渡り設けられている。したがって、タッチスイッチ１３とは、タッチセンサの一部または全部のことである。
【００２４】
タッチパネル１５では、再生、言語の選択などの様々な機能の入力操作を行うことができる。タッチパネル１５、すなわちタッチスイッチ１３を押圧することで、タッチセンサが反応し、このタッチセンサが図示しないタッチセンサ用コントローラを介し、制御部１０に信号を送ることにより再生等の入力操作が行われる。表示部１４には、液晶ディスプレイが使用されており、図示しない液晶ディスプレイ用コントローラが制御部１０との間に設けられている。また、制御部１０には、ディスク１が装填されるローディングトレイ２０（図２）を駆動するためのトレイ駆動部１６が接続されている。
【００２５】
図２に示すように、タッチパネル１５は、ディスク再生装置１００におけるローディングトレイ２０の前面に設けられている。そして、このローディグトレイ２０が筐体２１に格納され、ディスク１の再生等が行われる。
【００２６】
図３は、本発明のタッチパネルの表示を示す図である。
本実施形態では、タッチスイッチ１３は、矩形状であり、タッチセンサはタッチパネル１５の全体に渡り設けられている。表示部１４もタッチパネル１５の全体に渡り設けられており、タッチスイッチ１３の機能に対応するように表示されている。
【００２７】
図３（ａ）はローディングトレイオープン時のタッチパネルの表示を示す図である。図３（ａ）に示すように、このタッチパネル１５には、ＢＤ、ＤＶＤ、ＣＤの３種類のディスクに対応し、３つのタッチスイッチ１３ａ、１３ｂ、１３ｃが設けられており、３つのタッチスイッチ１３ａ、１３ｂ、１３ｃの夫々に対応し、表示部１４では、「ＢＤ」、「ＤＶＤ」、「ＣＤ」の表示がされている。
ディスク１の種類別のタッチスイッチ１３ａ、１３ｂ、１３ｃのいずれかが押圧されると、ディスク１が装填されたローディングトレイ２０が筐体２１に格納される。さらに、この押圧されたタッチスイッチ１３ａ、１３ｂ、１３ｃに基づいて、ディスク１の種類が判別され、ディスク１に応じた様々な調整を行い、ディスク１が再生される。
【００２８】
ディスク１の再生、記録を行う場合、ディスク１の種類に応じ、レーザパワー、フォーカス、トラッキングの調整が行われるが、ディスク１の種類を自動判別するディスク再生装置１００の場合、従来であれば、これらレーザパワー等の調整は使用されるレーザを順番に切り替えて行う。この調整は、例えば、ＣＤレーザ、ＤＶＤレーザ、ＢＤレーザの順に行われるので、ローディングトレイ２０にＢＤが装填された場合であっても、ＣＤレーザでレーザパワー等の調整を行い、調整できないと装填されたディスク１がＣＤでないと判断し、ＤＶＤレーザで調整を行う。さらに、ＤＶＤで調整できないとＢＤレーザで調整を行う。このため、ディスク１を自動判別するには時間を要するが、本実施形態のように予めディスク１の種類が判別されていると、自動判別の処理が必要でなく、調整を高速化できる。また、予めディスク１の種類が判別されていると、使用される対物レンズ等の調整も高速化できる。
【００２９】
図３（ｂ）は、ディスク起動処理時のタッチパネルの表示を示す図である。
図３（ａ）に示す３つのディスク１の種類が表示されているタッチパネル１５において、「ＢＤ」の表示がされているタッチスイッチ１３ａを押圧することにより、再生の入力操作を行うと、図３（ｂ）に示すように「ＢＤ」の表示がされているタッチスイッチ１３ｄと、「停止」の表示がされているタッチスイッチ１３ｅにタッチパネル１５が切り替わり、ディスク１の種類に応じた起動処理が行われる。
【００３０】
「停止」の表示がされているタッチスイッチ１３ｅを押圧すると、起動処理や再生処理が中止され、図３（ａ）に示す初期状態に戻る。また、図３（ｂ）において、「ＢＤ」の表示がされているタッチスイッチ１３ｄを押圧すると、再生指示が出ている状態で、図３（ａ）に示す初期状態の表示に戻る。
このように起動処理時に、選択されたディスク１の種類が表示されるので、ユーザが誤ってディスク１の種類を選択しても、再生を停止することができる。なお、ユーザが誤ってディスク１の種類を選択し、誤選択に気がつかない場合を想定し、ディスク１の自動判別処理機能も補助的に設けられている。
【００３１】
図３（ｃ）は、メニュー選択時のタッチパネルの表示を示す図である。この場合、装填されたディスク１は、ＢＤの映画ソフトである。この映画ソフトは、ハイライトシーン等の冒頭部分と、映画の本編と、メイキング等の特典とからなる。  したがって、タッチパネル１５もこの映画ソフトのコンテンツに対応してメニュー画面が表示され、「冒頭」の表示がされているタッチスイッチ１３ｆと、「本編」の表示がされているタッチスイッチ１３ｇと、「特典」の表示がされているタッチスイッチ１３ｈとが設けられている。ここでは、「本編」の表示がされているタッチスイッチ１３ｇを押圧するものとする。この押圧により、タッチパネル１５の表示は図３（ｄ）に切り替わる。
【００３２】
図３（ｄ）は、チャプター選択時のタッチパネルの表示を示す図である。ＢＤ映画ソフトの本編は、複数のチャプターに分けられている。したがって、チャプターを選択し、所望のチャプターから視聴を開始することができる。ここでは、最初から再生するので、「１」の表示がされているタッチスイッチ１３ｉを押圧する。この押圧により、タッチパネル１５の表示は図３（ｅ）に切り替わる。
【００３３】
図３（ｅ）は、言語選択時のタッチパネルの表示を示す図である。この映画ソフトは、音声および字幕の言語を、日本語と英語とから選択できる。したがって、音声の言語を選択するタッチスイッチ１３ｊ、１３ｋと、字幕の言語を選択するタッチスイッチ１３ｌ、１３ｍとが設けられている。ここでは、音声は英語、字幕は日本語を選択するものとし、音声については「英語」の表示がされているタッチスイッチ１３ｋを押圧し、字幕については「日本語」の表示がされているタッチスイッチ１３ｌを押圧する。これらの押圧により、タッチパネル１５の表示は図３（ｆ）に切り替わる。
【００３４】
図３（ｆ）は、再生時のタッチパネルの表示を示す図である。ここでは、チャプターは第１章、音声の言語は英語、字幕の言語は日本語が選択されているので、「チャプター  １」の表示がされているタッチスイッチ１３ｎと、「音声  英語」の表示がされているタッチスイッチ１３ｏと、「字幕  日本語」の表示がされているタッチスイッチ１３ｐが設けられている。なお、再生状態で、例えば、音声を英語から日本語に切り替えたい場合は、「音声  英語」の表示がされているタッチスイッチ１３ｏを押圧することで、図３（ｅ）に示す言語選択のタッチパネルに切り替わり、ユーザは「日本語」の表示がされているタッチスイッチ１３ｊを押圧することで、再生を継続した状態で、音声を英語から日本語に切り替えることができる。
【００３５】
このように冒頭、本編、特典、チャプター、字幕や音声の言語等の選択項目が、ディスク１から読み取られるとともに、選択項目がタッチパネル１５の表示部１４に表示され、この選択項目に対応するタッチスイッチ１３を押圧することで、ユーザは、所望の選択項目を選ぶことができる。
また、再生時であっても、再生中のチャプター、音声や字幕の言語などの再生状態がタッチパネル１５に表示されるので、ユーザは、選択項目を含む再生状態を確認できるとともに、再生中においても、タッチパネル１５に表示される選択項目を選択することにより、チャプター、字幕や音声の言語等の選択項目を変更したり、選択したりすることができる。
【００３６】
図４は、再生のフローチャートである。最初に、ユーザがディスク再生装置１００の電源をＯＮにして、再生の操作を開始する（ステップＳ１）。その後、イジェクトスイッチが押圧されると、ローディングトレイ２０がオープンする（ステップＳ２）。なお、図示しないが、電源をＯＮするスイッチとローディントレイ２０のオープンを行うイジェクトスイッチとは、押しボタン状とし、タッチパネル１５の近傍、例えば、ローディングトレイ２０の前面におけるタッチパネル１５とは異なる位置に設けることができる。
【００３７】
ローディングトレイ２０がオープンしている状態では、図３（ａ）に示すように、ディスク１の種類を選択するための画面がタッチパネル１５に表示される（ステップＳ３）。
ユーザがＣＤ、ＤＶＤおよびＢＤのいずれかのディスク１をセットし（ステップＳ４）、セットされたディスク１の種類に対応するディスク１の種類別のタッチスイッチ１３ａ、１３ｂ、１３ｃのいずれかを選択し、押圧すると（ステップＳ５）、ローディングトレイ２０がクローズする（ステップＳ６）。
【００３８】
ディスク１の種類が表示されたタッチスイッチ１３ａ、１３ｂ、１３ｃは、ローディングトレイ２０のクローズ用タッチスイッチと、ディスク１の種類別の調整用タッチスイッチと、ディスク１の再生用タッチスイッチとを兼ねている。
したがって、システムの起動動作が開始すると（ステップＳ７）、図３（ｂ）に示すような起動中画面が表示され（ステップＳ８）、いずれのタッチスイッチ１３が押圧されたかを示すスイッチ押圧情報を判別し（ステップＳ９）、このスイッチ押圧情報に基づいて、光ピックアップの調整が行われる（ステップＳ１０Ａ〜１０Ｃ）。
【００３９】
ＢＤ用タッチスイッチ１３ａが押圧されていると、ＢＤに対応した調整が行われ（ステップＳ１０Ａ）、ＤＶＤ用スイッチ１３ｂが押圧されているとＤＶＤに対応した調整が行われ（ステップＳ１０Ｂ）、ＣＤ用スイッチ１３ｃが押圧されていると、ＣＤに対応した調整（ステップＳ１０Ｃ）が行われる。
調整には、レーザパワー、フォーカス、トラッキング等の調整や対物レンズの調整が含まれるが、ディスク１の種類が、押圧されたスイッチに基づいて予め判別できているので、これらの調整に要する時間が短い。
【００４０】
調整が終了すると、ディスク１に記録されているディスク種類を判別するためのディスク情報を再生し（ステップＳ１１）、最終的にディスク１の種類をチェックする（ステップＳ１２）。なお、押圧されたタッチスイッチ１３ａ、１３ｂ、１３ｃに基づくディスク種類と、ディスク１に記録されたディスク種類の情報が異なっていれば、すなわちディスク１が読み取れなければ、補助的に設けられている自動判別処理機能が働き、ディスク１の種類を判別する。
ディスク１の種類が確認できると、ディスク１の種類判別を終了し、図３（ｃ）、図３（ｄ）、図３（ｅ）に示すような、選択項目を示す画面がタッチパネル１５に表示される（ステップＳ１３）。この選択項目を示す画面を表示するには、予めディスク１からメニュー、チャプター、音声や字幕の言語等の選択項目を読み出して、読み出された選択項目に基づいて、当該選択項目がタッチパネル１５に表示される。
【００４１】
メニュー、チャプター、音声や字幕の言語の選択項目から、例えば、メニューで本編を選択し、この選択項目を押圧すると（ステップＳ１４）、ディスク１の再生が行われる（ステップＳ１５）。この場合では、本編が再生される。
再生時には、図３（ｆ）に示すような再生時の画面が表示される（ステップＳ１６）。選択された項目、前述の場合では本編が終了すると、再生が終了する（ステップＳ１７）。
【００４２】
本発明は、前述した実施形態に限られない。例えば、ディスク１の種類はＢＤ、ＤＶＤ、ＣＤの３種類に限られない。また、前述した実施形態では、タッチパネル１５はローディングトレイ２０における前面の略全体に渡って設けられているが、ローディングトレイ２０の前面であれば、その一部分に設けられていてもよい。
電源スイッチ、特に電源ＯＦＦのスイッチやイジェクトスイッチもタッチパネル１５に設けることもできる。
【００４３】
前述のフローチャートは制御の概要を示すためのものであり、本発明の趣旨を損なわない範囲で、一部の制御の有無や制御順は問わない。
また、前述した実施形態では、矩形状のタッチスイッチ１３が設けられているが、タッチスイッチ１３の形状、換言すれば、表示部１４の表示は適宜変更可能である。同様に、選択項目等も、適宜変更可能である。例えば、タッチスイッチ１３の形状は円形であってもよく、音楽ソフトが記録されたディスク１を再生する場合は、曲名の選択項目がタッチパネル１５に表示されるようにしてもよい。
さらに、ディスク１から読み出した選択項目ではないが、再生開始時に、大きな音声が出力されないようにするため、消音やボリューム調整等の基本的な入力操作がタッチパネル１５で行えるようになっていてもよい。
【図面の簡単な説明】
【００４４】
【図１】ディスク再生装置のブロック図である。
【図２】ディスク再生装置の全体図である。
【図３】タッチパネルの表示を示す図である。
【図４】再生のフローチャートである。
【符号の説明】
【００４５】
１      ディスク
１３    タッチスイッチ
１４    表示部
１５    タッチパネル
２０    ローディングトレイ
２１    筐体
１００  ディスク再生装置
【図１】
2009026358.tif 000003
【図２】
2009026358.tif 000004
【図３】
2009026358.tif 000005
【図４】
2009026358.tif 000006